(57)【要約】  本発明の潤滑油組成物は、基油及び特定の縮合リン酸エステルに、各種添加剤を配合してなることを特徴とする。【特許請求の範囲】
【請求項１】
下記の（Ａ）成分及び（Ｂ）成分と、（Ｃ）成分、（Ｄ）成分、（Ｅ）成分、及び（Ｆ）成分から選択される１種又は２種以上を含有することを特徴とする潤滑油組成物：
（Ａ）成分：基油；
（Ｂ）成分：下記の一般式（１）で表わされる化合物；
【化１】
2011118707.tif 000046
（式中、Ｒ1〜Ｒ8はそれぞれ独立して水素原子、又は炭素数１〜２０のアルキル基を表わし、Ｘは炭素数２〜２０の炭化水素基を表わし、ｎは１〜１０の数を表わす。）
（Ｃ）成分：下記の一般式（２）で表わされる化合物；
【化２】
2011118707.tif 000047
（式中、Ｒ9は炭素数１〜３０の炭化水素基を表わし、これらの炭化水素基は、エーテル基、スルフィド基、ケトン基、エステル基、カーボネート基、アミド基、又はイミノ基で中断されていてもよい。Ｒ10及びＲ11は炭素数１〜２０のアルキル基を表わし、ｍは１〜４の数を表わす。）
（Ｄ）成分：下記の一般式（３）で表わされる化合物；
【化３】
2011118707.tif 000048
（式中、Ｒ12及びＲ13はそれぞれ独立して、水素原子、又は炭素数１〜２０のアルキル基を表わし、Ｒ14は炭素数１〜６のアルキル基、又は炭素数６のシクロアルキル基を表わし、Ｒ15は炭素数１〜２０のアルキル基を表わす。）
（Ｅ）成分：下記の一般式（４）で表わされる化合物；
【化４】
2011118707.tif 000049
（式中、Ｒ16〜Ｒ19はそれぞれ独立して水素原子、又は炭素数１〜２０のアルキル基を表わす。）
（Ｆ）成分：下記の一般式（５）で表わされる化合物；
【化５】
2011118707.tif 000050
（式中、Ｒ20〜Ｒ23はそれぞれ独立して水素原子、又は炭素数１〜２０のアルキル基を表わす。）
【請求項２】
（Ａ）成分の基油が、ポリ−α−オレフィン、エチレン−α−オレフィン共重合体、ポリブテン、アルキルベンゼン、アルキルナフタレン、芳香族エステル、ヒンダードエステル、二塩基酸エステル、パラフィン系鉱油、ナフテン系鉱油及びＧＴＬより選択される１種又は２種以上であることを特徴とする、請求項１記載の潤滑油組成物。
【請求項３】
一般式（１）のＸが、一般式（６）、一般式（７）又は一般式（８）であることを特徴とする、請求項１又は２記載の潤滑油組成物：
【化６】
2011118707.tif 000051
【請求項４】
一般式（１）のＲ1〜Ｒ8が、水素原子又はメチル基であることを特徴とする、請求項１ないし３のいずれか１項記載の潤滑油組成物。
【請求項５】
（Ａ）成分１００質量部に対して、（Ｂ）成分を０．０１〜１０質量部配合し、また（Ａ）成分１００質量部に対して、（Ｃ）成分、（Ｄ）成分、（Ｅ）成分及び／または（Ｆ）成分の合計を０．０１〜１０質量部配合することを特徴とする、請求項１ないし４のいずれか１項記載の潤滑油組成物。
【請求項６】
更に、一般式（１）以外の摩耗防止剤、摩擦調整剤、金属系清浄剤、無灰分散剤、酸化防止剤、粘度指数向上剤、流動点降下剤、防錆剤、腐食防止剤及び消泡剤からなる群から選択される１種または２種以上を含有することを特徴とする、請求項１ないし５のいずれか１項記載の潤滑油組成物。
【請求項７】
潤滑油組成物が、エンジン油、変速機用潤滑油、ギヤー油、タービン油、作動油、冷凍機油、コンプレッサー油、真空ポンプ油、軸受油、しゅう動面油、ロックドリル油、金属切削油、塑性加工油、熱処理油、グリース又は加工油であることを特徴とする、請求項１ないし６のいずれか１項記載の潤滑油組成物。
【発明の詳細な説明】
【技術分野】
【０００１】
本発明は、潤滑油組成物に関し、特に、縮合リン酸エステルを多量に添加することができる潤滑油組成物に関する。
【背景技術】
【０００２】
自動車や工作機械等の機械類は近年高機能化が進んでおり、こうした機械類に使用される潤滑油の要求性能も高まっている。潤滑油に求められる機能や効果は様々であるが、機械類の高速化や高圧力化が進んでおり、摩耗防止に対する要求性能が非常に大きい。摩耗防止には、通常、添加剤として摩耗防止剤を潤滑油に添加するが、こうした摩耗防止剤は昔からよく知られた添加剤であり、一般的にリン系や硫黄系の化合物、またはこれらの組み合わせで摩耗防止に対応していた（例えば、特許文献１〜３を参照）。【０００３】
例えば、特許文献１には、潤滑油基油（鉱油・合成油）に対して、清浄剤として全塩基価（ＴＢＮ）１６５ｍｇＫＯＨ／ｇを有するカルシウム・アルキサリチレート（カルシウム（Ｃａ）含有量６．０質量％）を質量％で５．８〜８．３、酸化防止剤兼摩耗防止剤としてプライマリアルキル型ジンク・ジチオホスフェートを亜鉛（Ｚｎ）の質量％で０．０９〜０．１３、摩擦調整剤兼摩耗防止剤として油溶性オキシモリブデン・ジアルキルジチオホスフェートを、モリブデン（Ｍｏ）の質量％で０．０２〜０．０４を配合したことを特徴とする排気ガス還流装置付エンジン用ディーゼルエンジンオイルが開示されている。【０００４】
また、特許文献２には、次の化学構造
【化１】
2011118707.tif 000002
［ここで、Ｒ及びＲ’は水素またはアルキルであってよく、このさいＲまたはＲ’の少なくとも一つはアルキルであり、ここでＲ’’はアルキル、またはＲ’’’ＯＣＯＣＨ2、またはＲ’’’ＯＣＯＣＨ2ＣＨ2（ここで、Ｒ’’’はアルキルであり、そしてＸはＳである）である］を有する組成物からなる低リン潤滑剤用の摩耗防止剤が開示されている。【０００５】
更に、特許文献３には、スーパートラクターオイルユニバーサル潤滑組成物であり、ａ）粘度指数が少なくとも約９５であり、ｉ）少なくとも一つの金属清浄剤と、ｉｉ）少なくとも一つのリンベースの摩耗防止剤と、ｉｉｉ）少なくとも一つの油溶性モリブデン化合物を含む添加剤成分で調合された潤滑粘度のオイルを含み、ｂ）潤滑組成物の総重量を基にした金属の含有量（ｐｐｍ）と潤滑組成物の全塩基価（ｍｇ  ＫＯＨ／ｇ）の比率が約２１０から約４５０（ｐｐｍ／ｍｇ  ＫＯＨ／ｇ）であることを特徴とし、ｃ）潤滑油組成物の総重量を基にした金属の含有量（ｐｐｍ）と潤滑組成物の総重量を基にしたリンの含有量（ｐｐｍ）の比率が約５．０から約２０．０（ｐｐｍ／ｐｐｍ）であり、また、ｄ）潤滑組成物の総重量を基にしたリンの含有量（ｐｐｍ）と潤滑組成物の総重量を基にしたモリブデンの含有量（ｐｐｍ）の比率が約０．５から約８０．０（ｐｐｍ／ｐｐｍ）である、スーパートラクターオイルユニバーサル潤滑組成物が開示されている。【０００６】
また、本出願人は、縮合リン酸エステルを使用することで、従来知られているリン系の摩耗防止剤よりも高い摩耗防止効果を発揮できることを既に提案している（特願２０１０−２１０２２号）。
【先行技術文献】
【特許文献】
【０００７】
【特許文献１】特開平７−２０７２９０号公報
【特許文献２】特開２００３−１８３２４７号公報
【特許文献３】特開２００８−１７４７４２号公報
【発明の概要】
【発明が解決しようとする課題】
【０００８】
しかしながら、縮合リン酸エステルはベースとなる潤滑油基油に対して、溶解性が低いことがあり、そのため不溶解物が析出し、添加量が制限される場合もあり、十分な効果を発揮できないこともあることが本発明者らの今般研究により判明した。【０００９】
従って、本発明の目的は、潤滑油基油（基油）に縮合リン酸エステルを多量添加した場合、不溶解物の析出等の問題が生ずることがあるのに対して、縮合リン酸エステルの溶解性を向上させ、潤滑油基油に対して縮合リン酸エステルの多量添加を可能にし、摩耗防止効果を更に高めることができる潤滑油組成物を提供することにある。
【課題を解決するための手段】
【００１０】
そこで、本発明者等は鋭意検討し、本発明を完成するに至った。
即ち、本発明は、下記の（Ａ）成分、及び（Ｂ）成分と、（Ｃ）成分、（Ｄ）成分、（Ｅ）成分、及び（Ｆ）成分から選択される１種又は２種以上を含有することを特徴とする潤滑油組成物である：
（Ａ）成分：基油；
（Ｂ）成分：下記の一般式（１）で表わされる化合物；
【化２】
2011118707.tif 000003
（式中、Ｒ1〜Ｒ8はそれぞれ独立して水素原子、又は炭素数１〜２０のアルキル基を表わし、Ｘは炭素数２〜２０の炭化水素基を表わし、ｎは１〜１０の数を表わす。）
（Ｃ）成分：下記の一般式（２）で表わされる化合物；
【化３】
2011118707.tif 000004
（式中、Ｒ9は炭素数１〜３０の炭化水素基を表わし、これらの炭化水素基は、エーテル基、スルフィド基、ケトン基、エステル基、カーボネート基、アミド基、又はイミノ基で中断されていてもよい。Ｒ10及びＲ11は炭素数１〜２０のアルキル基を表わし、ｍは１〜４の数を表わす。）
（Ｄ）成分：下記の一般式（３）で表わされる化合物；
【化４】
2011118707.tif 000005
（式中、Ｒ12及びＲ13はそれぞれ独立して、水素原子、又は炭素数１〜２０のアルキル基を表わし、Ｒ14は炭素数１〜６のアルキル基、又は炭素数６のシクロアルキル基を表わし、Ｒ15は炭素数１〜２０のアルキル基を表わす。）
（Ｅ）成分：下記の一般式（４）で表わされる化合物；
【化５】
2011118707.tif 000006
（式中、Ｒ16〜Ｒ19はそれぞれ独立して水素原子、又は炭素数１〜２０のアルキル基を表わす。）
（Ｆ）成分：下記の一般式（５）で表わされる化合物；
【化６】
2011118707.tif 000007
（式中、Ｒ20〜Ｒ23はそれぞれ独立して水素原子、又は炭素数１〜２０のアルキル基を表わす。）
【発明の効果】
【００１１】
本発明の効果は、従来、添加量が制限されることがある縮合リン酸エステルを含有する潤滑油組成物と比較して、より多量の縮合リン酸エステルを添加することができ、その結果として、摩耗防止効果を更に向上させることができる潤滑油組成物を提供したことにある。
【発明を実施するための形態】
【００１２】
本発明の潤滑油組成物において、（Ａ）成分として使用できる基油としては、例えば、鉱油、合成油及びこれらの混合物が挙げられ、より具体的には、ポリ−α−オレフィン、エチレン−α−オレフィン共重合体、ポリブテン、アルキルベンゼン、アルキルナフタレン、ポリアルキレングリコール、ポリフェニルエーテル、アルキル置換ジフェニルエーテル、ポリオールエステル、芳香族エステル、ペンタエリスリトール骨格を持つヒンダードエステル、二塩基酸エステル、炭酸エステル、シリコーン油、フッ素化油、ＧＴＬ（gas to liquids）等の合成油；パラフィン系鉱油、ナフテン系鉱油あるいはこれらを精製した精製鉱油類等が挙げられる。これらの基油はそれぞれ単独で用いてもよく、混合物で用いてもよい。これらの基油の中でも、摩耗改善効果が高いことから、ポリ−α−オレフィン、エチレン−α−オレフィン共重合体、ポリブテン、アルキルベンゼン、アルキルナフタレン、芳香族エステル、ヒンダードエステル、二塩基酸エステル、パラフィン系鉱油、ナフテン系鉱油、ＧＴＬが好ましく、ポリ−α−オレフィン、芳香族エステル、ヒンダードエステル、二塩基酸エステル、パラフィン系鉱油、ナフテン系鉱油、ＧＴＬがより好ましく、芳香族エステル、二塩基酸エステル、パラフィン系鉱油、ナフテン系鉱油、ポリ−α−オレフィンが更に好ましい。
【００１３】
ポリ−α−オレフィンを使用する場合は、炭素数８〜２０のα−オレフィンから選ばれる少なくとも１つから導かれる１００℃における動粘度が１〜３００ｍｍ2／秒のものである。また、好ましいエチレン−α−オレフィン共重合体としては、炭素数８〜２０のα−オレフィンから選ばれる少なくとも１つから導かれる構成単位を５０〜９９質量％、エチレンから導かれる構成単位を１〜５０質量％の量で含有する１００℃における動粘度が１〜３００ｍｍ2／秒のものである。また、鉱油としては、水素化精製、溶剤脱れき、溶剤抽出、溶剤脱ろう、接触脱ろう、水素化分解、硫酸洗浄、白土処理等の精製を行い、１００℃における動粘度が１〜５０ｍｍ2／秒のものが更に好ましい。基油の１００℃での動粘度が３００ｍｍ2／秒を超えると低温粘度特性が悪化する場合があり、動粘度が１未満の場合は、潤滑箇所での油膜形成が不十分であるため潤滑性に劣る場合や金属摩耗が増加する場合があるために好ましくない。また、基油として鉱油を使用する場合は粘度指数９０以上が好ましく、１００以上がより好ましい。
【００１４】
（Ｂ）成分は、一般式（１）で表わされる化合物である：
【化７】
2011118707.tif 000008
【００１５】
一般式（１）で表わされる化合物のＲ1〜Ｒ8はそれぞれ独立して水素原子、又は炭素数１〜２０のアルキル基を表わし、こうしたアルキル基としては、例えば、メチル基、エチル基、プロピル基、イソプロピル基、ブチル基、イソブチル基、セカンダリーブチル基、ターシャリーブチル基、ペンチル基、アミル基、イソアミル基、ヘキシル基、ヘプチル基、イソヘプチル基、オクチル基、イソオクチル基、２−エチルヘキシル基、ノニル基、イソノニル基、デシル基、ドデシル（ラウリル）基、トリデシル基、テトラデシル（ミリスチル）基、ペンタデシル基、ヘキサデシル（パルミチル）基、へプタデシル基、オクタデシル基（ステアリル）基、ノナデシル基、イコシル基等が挙げられる。摩耗防止効果が高いことから、Ｒ1〜Ｒ8は水素原子又はメチル基であることが好ましく、水素原子がより好ましい。
【００１６】
一般式（１）中のＸは、炭素数２〜２０の炭化水素基を表わし、こうした基としては、例えば、アルキレン基、シクロアルキレン基、アリーレン基をひとつ以上含有する炭化水素基等が挙げられ、アルキレン基としては、例えば、エチレン基、プロピレン基、ブチレン基、ペンチレン基、ヘキシレン基、へプチレン基、オクチレン基、ノニレン基、デシレン基、ウンデシレン基、ドデシレン基、テトラデシレン基、ヘキサデシレン基、オクタデシレン基、イコサレン基等が挙げられる。シクロアルキレン基としては、例えば、シクロプロピレン基、シクロブチレン基、シクロペンチレン基、シクロヘキシレン基、シクロヘプチレン基、シクロオクチレン基、ジシクロペンチレン基、トリシクロペンチレン基等が挙げられる。
【００１７】
アリーレン基をひとつ以上含有する炭化水素基としては、例えば、一般式（６）、一般式（７）、一般式（８）で表わされる基、１，２−ジフェニルエチレン基、ナフチレン基等が挙げられ、一般式（６）で表わされる基の場合、結合する箇所によってオルト体、メタ体及びパラ体の３つの構造になるが、いずれの構造であってもよく、これらの違いによって性能は変わらない。これらの中でも、摩耗防止効果が高いことからＸはアリール基を１つ以上含有することが好ましく、一般式（６）、一般式（７）、一般式（８）のいずれかで表わされる基がより好ましく、一般式（６）、一般式（７）のいずれかで表わされる基が更に好ましく、一般式（６）で表わされる基が最も好ましい。
【化８】
2011118707.tif 000009
【００１８】
一般式（１）で表わされる化合物のｎは重合度を表わし、本発明の潤滑油組成物の（Ｂ）成分として、摩耗防止効果を十分に発揮させるためには、ｎが１〜１０の数、好ましくは１〜５の数である。
【００１９】
なお、（Ｂ）成分には、一般式（１）で表わされる化合物のｎがゼロである化合物、又はｎが１１以上の化合物が不純物として混入することもあるが、これらの含有量は本発明品の（Ｂ）成分１００質量部に対して１０質量部以下が好ましく、５質量部以下がより好ましく、２質量部以下が更に好ましい。１０質量部を超えると、本発明の潤滑油組成物の摩耗防止効果が低くなるために好ましくない。
【００２０】
また、ｎの平均、すなわち、平均重合度は一般式（１）で表わされる化合物のモル比から計算され、例えば、ｎ＝１の化合物が５０モル％、ｎ＝２の化合物が５０モル％の組成ならば、平均重合度は１．５となる。なお、ｎの値は高速液体クロマトグラフィーの測定結果から算出できる。
【００２１】
（Ｂ）成分の一般式（１）で表わされる化合物のｎの平均、即ち、平均重合度は、特に制限はないが摩耗防止効果を高めるためには、１．０〜４．０であることが好ましく、１．０〜２．０であることがより好ましい。４．０を超える場合は基油への溶解が困難になる場合や摩耗防止効果が低くなる場合があるために好ましくない。なお、一般式（１）のｎがゼロである化合物やｎが１１以上の化合物が混入している場合、本発明の（Ｂ）成分のｎの平均、即ち、平均重合度を算出する際に、これらの化合物のｎの値を含めないものとする。
【００２２】
一般式（１）で表わされる化合物を製造する方法としては、公知の方法のいずれの方法を使用してもよく、例えば、以下の方法により目的物を得ることができる：
方法１
Ｘが一般式（６）で表わされ、Ｒ1〜Ｒ8が全て水素原子、一般式（１）のｎの値が１〜５の化合物を製造する場合には、１モルの１，３−ベンゼンジオールと２モルのオキシ塩化リンとを反応させた後に、４モルのフェノールを反応させればよい。この場合、各原料のモル比を変えることによってｎの値の異なった化合物を製造することができるが、通常いずれのモル比で合成しても、精製を行わなければｎの値が異なった化合物の混合物が得られる。
【００２３】
方法２
Ｘが一般式（６）で表わされ、Ｒ1〜Ｒ8が全て水素原子、一般式（１）のｎの値が１の化合物を製造する場合には、１モルの１，３−ベンゼンジオールと２モルのクロロリン酸ジフェニルとを反応させることにより得られる。
【００２４】
本発明の潤滑油組成物は、（Ａ）成分と（Ｂ）成分のみを配合した場合と比較して、（Ｃ）成分、（Ｄ）成分、（Ｅ）成分、及び（Ｆ）成分より選択される１種又は２種以上を配合することで（Ａ）成分に対する（Ｂ）成分の溶解性を向上させることができる。（Ｃ）成分、（Ｄ）成分、（Ｅ）成分、及び（Ｆ）成分の中でも（Ｃ）成分、（Ｅ）成分、及び（Ｆ）成分を使用することが好ましい。
【００２５】
（Ｃ）成分である一般式（２）
【化９】
2011118707.tif 000010
で表わされる化合物において、Ｒ9は炭素数１〜３０の炭化水素基を表わし、これらの炭化水素基は、エーテル基、スルフィド基、ケトン基、エステル基、カーボネート基、アミド基、又はイミノ基で中断されていてもよい。エーテル基、スルフィド基、ケトン基、エステル基、カーボネート基、アミド基、又はイミノ基を含まない炭化水素基としては例えば、１価の炭化水素基、２価の炭化水素基、３価の炭化水素基、４価の炭化水素基が挙げられ、１価の炭化水素基としては、例えば、アルキル基、アルケニル基、シクロアルキル基、アリール基等が挙げられる。アルキル基としては一般式（１）で例示したアルキル基、ペンタコシル基、トリアコンチル基等が挙げられる。
【００２６】
アルケニル基としては、例えば、ビニル基、１−メチルエテニル基、２−メチルエテニル基、プロペニル基、ブテニル基、イソブテニル基、ペンテニル基、ヘキセニル基、ヘプテニル基、オクテニル基、デセニル基、ペンタデセニル基、オクタデセニル基、イコセニル基、トリアコンテニル基等が挙げられる。
【００２７】
シクロアルキル基としては、例えば、シクロヘキシル基、シクロペンチル基、シクロヘプチル基、メチルシクロペンチル基、メチルシクロヘキシル基、メチルシクロヘプチル基、シクロペンテニル基、シクロヘキセニル基、シクロヘプテニル基、メチルシクロペンテニル基、メチルシクロヘキセニル基、メチルシクロヘプテニル基等が挙げられる。
【００２８】
アリール基としては、例えば、フェニル基、ナフチル基、２−メチルフェニル基、３−メチルフェニル基、４−メチルフェニル基、４−ビニルフェニル基、３−イソプロピルフェニル基、４−イソプロピルフェニル基、４−ブチルフェニル基、４−イソブチルフェニル基、４−ターシャリブチルフェニル基、４−ヘキシルフェニル基、４−シクロヘキシルフェニル基、４−オクチルフェニル基、４−（２−エチルヘキシル）フェニル基、４−ドデシルフェニル基等が挙げられる。
【００２９】
２価の炭化水素基としては、例えば、メチレン基、エチレン基、プロピレン基、ブチレン基、ペンチレン基、へキシレン基、へプチレン基、オクチレン基、ノニレン基、デシレン基、ドデシレン基、トリデシレン基、テトラデシレン基、ペンタデシレン基、ヘキサデシレン基、へプタデシレン基、オクタデシレン基、ノナデシレン基、イコシレン基等が挙げられる。
【００３０】
Ｒ9はエーテル基、スルフィド基、ケトン基、エステル基、カーボネート基、アミド基、又はイミノ基で中断されていてもよく、これらは同一分子中に１つ又は２つ以上含んでも良い。Ｒ9を中断する基として具体的には以下の一般式（９）〜（１６）で表わす基が挙げられ、中でもエステル基、アミド基を持つ一般式（１０）で表わされる基、一般式（１１）で表わされる基、一般式（１２）で表わされる基、一般式（１３）で表される基及び／または一般式（１４）で表される基が好ましく、一般式（１０）で表わされる基、及び／又は一般式（１１）で表わされる基が更に好ましい：
【００３１】
【化１０】
2011118707.tif 000011
（式中、ｐは０又は１を表わし、ＲA及びＲBは炭化水素基を表わす。）
【００３２】
【化１１】
2011118707.tif 000012
（式中、ｐは０又は１を表わし、ＲA及びＲBは炭化水素基を表わす。）
【００３３】
【化１２】
2011118707.tif 000013
（式中、ｐは０又は１を表わし、ＲA及びＲBは炭化水素基を表わす。）
【００３４】
【化１３】
2011118707.tif 000014
（式中、ｐは０又は１を表わし、ＲA及びＲBは炭化水素基を表わす。）
【００３５】
【化１４】
2011118707.tif 000015
（式中、ｐは０又は１を表わし、ＲA及びＲBは炭化水素基を表わす。）
【００３６】
【化１５】
2011118707.tif 000016
（式中、ｐは０又は１を表わし、ＲA及びＲBは炭化水素基を表わす。）
【００３７】
−（Ｒc）q−Ｏ−ＲD−                       （１５）
（式中、ｑは０又は１を表わし、ＲC及びＲDは炭化水素基を表わす。）
【００３８】
−（Ｒc）q−Ｓ−ＲD−                       （１６）
（式中、ｑは０又は１を表わし、ＲC及びＲDは炭化水素基を表わす。）
【００３９】
また、Ｒ10及びＲ11は炭素数１〜２０のアルキル基を表わし、例えば、一般式（１）で例示したアルキル基が挙げられ、ｍは１〜４の数を表わす。
【００４０】
これらの（Ｃ）成分の中でもより具体的には、例えば、下記一般式（１７）〜（２１）の各式で表わされる化合物、４，４’−イソプロピリデンビス（２，６−ジ−ｔ−ブチルフェノール）等が挙げられ、（Ｂ）成分の溶解性向上効果が高いため一般式（１７）〜（２１）の各式で表わされる化合物が好ましく、一般式（１７）又は一般式（２０）の各式で表わされる化合物がより好ましい：
【００４１】
【化１６】
2011118707.tif 000017
（式中、Ｒ24は炭素数１〜２０のアルキル基を表わし、Ｒ25及びＲ26はそれぞれ独立して炭素数１〜４のアルキル基を表わす。）
【００４２】
なお、一般式（１７）で表わされる化合物において、Ｒ24は上述のように炭素数１〜２０のアルキル基を表わすが、（Ｂ）成分の溶解性向上効果が高いため炭素数１〜１８のアルキル基が好ましく、炭素数１〜４がより好ましく、炭素数１が更に好ましい。Ｒ25及びＲ26はそれぞれ独立して炭素数１〜４のアルキル基を表わすが、一般式（１７）で表わされる化合物の溶解性が高いので、炭素数４のアルキル基が好ましい。
【００４３】
【化１７】
2011118707.tif 000018
（式中、Ｒ27は炭素数１〜１０のアルキレン基を表わし、Ｒ28は炭素数１〜９のアルキレン基を表わし、Ｒ29及びＲ30はそれぞれ独立して炭素数１〜４のアルキル基を表わす。）
【００４４】
なお、一般式（１８）で表わされる化合物において、Ｒ27は上述のように炭素数１〜１０のアルキレン基を表わすが、（Ｂ）成分の溶解性向上効果が高いため、炭素数１〜８のアルキレン基が好ましく、炭素数４〜８がより好ましく、炭素数５〜７が更に好ましい。Ｒ28は炭素数１〜９のアルキレン基を表わすが、（Ｂ）成分の溶解性向上効果が高いため、炭素数２〜４のアルキレン基が好ましく、炭素数２が更に好ましい。Ｒ29及びＲ30はそれぞれ独立して炭素数１〜４のアルキル基を表わすが、一般式（１８）で表わされる化合物の溶解性が高いので、炭素数４のアルキル基が好ましい。
【００４５】
【化１８】
2011118707.tif 000019
（式中、Ｒ31は炭素数１〜９のアルキレン基を表わし、Ｒ32は炭素数１〜９のアルキレン基を表わし、Ｒ33及びＲ34はそれぞれ独立して炭素数１〜４のアルキル基を表わす。）
【００４６】
なお、一般式（１９）で表わされる化合物において、Ｒ31は上述のように炭素数１〜９のアルキレン基を表わすが、（Ｂ）成分の溶解性向上効果が高いため、炭素数１〜８のアルキレン基が好ましく、炭素数１〜６がより好ましく、炭素数１〜３が更に好ましい。Ｒ32は炭素数１〜９のアルキレン基を表わすが、（Ｂ）成分の溶解性向上効果が高いため、炭素数２〜４のアルキレン基が好ましく、炭素数２が更に好ましい。Ｒ33及びＲ34はそれぞれ独立して炭素数１〜４のアルキル基を表わすが、一般式（１９）で表わされる化合物の溶解性が高いので、炭素数４のアルキル基が好ましい。
【００４７】
【化１９】
2011118707.tif 000020
（式中、Ｒ35は炭素数１〜２４のアルキル基を表わし、Ｒ36は炭素数１〜５のアルキル基を表わし、Ｒ37及びＲ38はそれぞれ独立して炭素数１〜４のアルキル基を表わす。）
【００４８】
なお、一般式（２０）で表わされる化合物において、Ｒ35は上述のように炭素数１〜２４のアルキル基を表わすが、（Ｂ）成分の溶解性向上効果が高いため、炭素数１〜２２のアルキル基が好ましく、炭素数１〜１８がより好ましく、炭素数７〜１８が更に好ましい。Ｒ36は炭素数１〜５のアルキレン基を表わすが、（Ｂ）成分の溶解性向上効果が高いため、炭素数２〜４のアルキレン基が好ましく、炭素数２が更に好ましい。Ｒ37及びＲ38はそれぞれ独立して炭素数１〜４のアルキル基を表わすが、一般式（２０）で表わされる化合物の溶解性が高いので、炭素数４のアルキル基が好ましい。
【００４９】
【化２０】
2011118707.tif 000021
（式中、Ｒ39は炭素数１〜５のアルキレン基を表わし、Ｒ40及びＲ41はそれぞれ独立して炭素数１〜４のアルキル基を表わす。）
【００５０】
なお、一般式（２１）において、Ｒ39は上述のように炭素数１〜５のアルキレン基を表わすが、（Ｂ）成分の溶解性向上効果が高いため、炭素数２〜４のアルキレン基が好ましく、炭素数２がより好ましい。Ｒ40及びＲ41はそれぞれ独立して炭素数１〜４のアルキル基を表わすが、一般式（２１）で表わされる化合物の溶解性が高いので、炭素数４のアルキル基が好ましい。
【００５１】
（Ｄ）成分である一般式（３）
【化２１】
2011118707.tif 000022
で表わされる化合物において、Ｒ12及びＲ13はそれぞれ独立して水素原子又は炭素数１〜２０のアルキル基を表わし、例えば、一般式（１）で表わされる化合物で例示したアルキル基が挙げられ、（Ｂ）成分の溶解性向上効果が高いため、水素原子又は炭素数１〜４のアルキル基が好ましく、水素原子がより好ましい。Ｒ14は炭素数１〜６のアルキル基、又は炭素数６のシクロアルキル基を表わし、例えば、一般式（１）で表わされる化合物で例示したアルキル基、シクロヘキシル基等が挙げられ、一般式（３）で表わされる化合物の溶解性が高いので、炭素数４のアルキル基、又は炭素数６のシクロアルキル基が好ましい。Ｒ15は炭素数１〜２０のアルキル基を表わし、例えば、一般式（１）で表わされる化合物で例示したアルキル基が挙げられ、一般式（３）で表わされる化合物の溶解性が高いので、炭素数１〜４のアルキル基が好ましく、炭素数１がより好ましい。
【００５２】
（Ｅ）成分である一般式（４）
【化２２】
2011118707.tif 000023
で表わされる化合物において、Ｒ16〜Ｒ19はそれぞれ独立して水素原子又は炭素数１〜２０のアルキル基を表わし、例えば、一般式（１）で表わされる化合物で例示したアルキル基が挙げられ、Ｒ16〜Ｒ19は（Ｂ）成分の溶解性向上効果が高いため、水素原子、又は炭素数１〜１２のアルキル基が好ましい。一般式（４）で表わされる化合物のＲ16〜Ｒ19は一つ以上がアルキル基を持つ場合、結合する箇所によって位置異性体になるが、いずれの構造でも性能はほぼ同等である。
【００５３】
（Ｆ）成分である一般式（５）
【化２３】
2011118707.tif 000024
で表わされる化合物において、Ｒ20〜Ｒ23は水素原子又は炭素数１〜２０のアルキル基を表わし、例えば、一般式（１）で例示したアルキル基が挙げられ、（Ｂ）成分の溶解性向上効果が高いため、水素原子、又は炭素数１〜１２のアルキル基が好ましい。一般式（５）で表わされる化合物のＲ20〜Ｒ23は一つ以上がアルキル基を持つ場合、結合する箇所によって、位置異性体になるが、いずれの構造でも性能はほぼ同等である。
【００５４】
本発明の潤滑油組成物において、（Ｂ）成分は、（Ａ）成分１００質量部に対して、（Ｂ）成分を０．０１〜１０質量部、好ましくは０．０１〜７質量部、より好ましくは０．０２〜５質量部配合したものであり、配合量が少なすぎると摩耗防止剤としての効果が発揮できない場合があり、配合量が多すぎると不溶解物がでてくる場合や配合量に見合った効果を得られない場合があるために好ましくない。
【００５５】
また、本発明の潤滑油組成物において、（Ｃ）成分、（Ｄ）成分、（Ｅ）成分及び（Ｆ）成分の配合量は、（Ｂ）成分の使用量と基油の種類により異なるが（Ａ）成分１００質量部に対して、（Ｃ）成分、（Ｄ）成分、（Ｅ）成分及び（Ｆ）成分の合計量が０．０１〜１０質量部、好ましくは０．０５〜７質量部、より好ましくは０．０５〜５質量部配合したものであり、配合量が少なすぎると十分な（Ｂ）成分の溶解性向上効果が得られない場合があり、配合量が多すぎると配合量に見合った効果を得られない場合があるために好ましくない。
【００５６】
更に、本発明の潤滑油組成物には、公知の潤滑油添加剤を添加することもでき、例えば、使用目的に応じて、本発明に使用する上記（Ｂ）成分以外の摩耗防止剤、摩擦調整剤、金属系清浄剤、無灰分散剤、酸化防止剤、摩擦低減剤、粘度指数向上剤、流動点降下剤、防錆剤、腐食防止剤、極圧添加剤、消泡剤、金属不活性化剤、乳化剤、抗乳化剤、かび防止剤等の潤滑油添加剤を本発明の効果を損なわない範囲で添加することもできる。
【００５７】
上記摩耗防止剤としては、例えば、硫化油脂、オレフィンポリスルフィド、ジベンジルスルフィド等の硫黄系添加剤；モノオクチルフォスフェート、トリブチルフォスフェート、トリフェニルフォスファイト、トリブチルフォスファイト、チオリン酸エステル等のリン系化合物；チオリン酸金属塩、チオカルバミン酸金属塩、酸性リン酸エステル金属塩、亜鉛ジチオホスフェート等の有機金属化合物等が挙げられる。これら摩耗防止剤の好ましい配合量は、（Ａ）成分に対して０．０１〜３質量％、より好ましくは０．０５〜２質量％である。
【００５８】
上記摩擦調整剤としては、例えば、オレイルアルコール、ステアリルアルコール等の高級アルコール類；オレイン酸、ステアリン酸等の脂肪酸類；オレイルグリセリンエステル、ステリルグリセリンエステル、ラウリルグリセリンエステル等のエステル類；ラウリルアミド、オレイルアミド、ステアリルアミド等のアミド類；ラウリルアミン、オレイルアミン、ステアリルアミン、アルキルジエタノールアミン等のアミン類；ラウリルグリセリンエーテル、オレイルグリセリンエーテル等のエーテル類が挙げられる。これら摩擦調整剤の好ましい配合量は、（Ａ）成分に対して０．１〜５質量％、より好ましくは０．２〜３質量％である。
【００５９】
上記金属系清浄剤としては、例えば、カルシウム、マグネシウム、バリウム等のスルフォネート、フェネート、サリシレート、フォスフェート及びこれらの過塩基性塩が挙げられる。これらの中でも過塩基性塩が好ましく、過塩基性塩の中でもＴＢＮ（トータルベーシックナンバー）が３０〜５００ｍｇＫＯＨ／ｇのものがより好ましい。これらの金属系清浄剤の好ましい配合量は、（Ａ）成分に対して０．５〜１０質量％、より好ましくは１〜８質量％である。
【００６０】
上記無灰分散剤としては、例えば、重量平均分子量約５００〜３０００のアルキル基またはアルケニル基が付加されたコハク酸イミド、コハク酸エステル、ベンジルアミン又はこれらのホウ素変性物等が挙げられる。これらの無灰分散剤の好ましい配合量は、（Ａ）成分に対して０．５〜１０質量％、より好ましくは１〜８質量％である。
【００６１】
上記酸化防止剤としては、例えば、２，６−ジ−ターシャリーブチルフェノール（以下、ターシャリブチルをｔ−ブチルと略記する。）、トリス｛（３，５−ジ−ｔ−ブチル−４−ヒドロキシフェニル）プロピオニル−オキシエチル｝イソシアヌレート、トリス（３，５−ジ−ｔ−ブチル−４−ヒドロキシフェニル）イソシアヌレート、１，３，５−トリス（３，５−ジ−ｔ−ブチル−４−ヒドロキシベンジル）イソシアヌレート、１，３，５−トリス（４−ｔ−ブチル−３−ヒドロキシ−２，６−ジメチルベンジル）イソシアヌレート、６−（４−ヒドロキシ−３，５−ジ−ｔ−ブチルアニリノ）−２，４−ビス（オクチルチオ）−１，３，５−トリアジン、３，５−ジ−ｔ−ブチル−４−ヒドロキシ−ベンジル−リン酸ジエステル、３，９−ビス〔１，１−ジメチル−２−｛β−（３−ｔ−ブチル−４−ヒドロキシ−５−メチルフェニル）プロピオニルオキシ｝エチル〕−２，４，８，１０−テトラオキサスピロ［５，５］ウンデカン、１，１，３−トリス（２−メチル−４−ヒドロキシ−５−ｔ−ブチルフェニル）ブタン等のフェノール系酸化防止剤、フェノチアジン、Ｎ−メチルフェノチアジン、Ｎ−エチルフェノチアジン、３，７−ジオクチルフェノチアジン、フェノチアジンカルボン酸エステル、フェノセレナジン等のフェノチアジン系酸化防止剤等が挙げられる。これら酸化防止剤の好ましい配合量は、基油に対して０．０１〜５質量％、より好ましくは０．０５〜４質量％である。
【００６２】
上記摩擦低減剤としては、例えば、硫化オキシモリブデンジチオカルバメート、硫化オキシモリブデンジチオフォスフェート等の有機モリブデン化合物が挙げられる。これら摩擦低減剤の好ましい配合量は、（Ａ）成分に対してモリブデン含量で３０〜２０００質量ｐｐｍ、より好ましくは５０〜１０００質量ｐｐｍである。
【００６３】
上記粘度指数向上剤としては、例えば、ポリ（Ｃ１〜１８）アルキル（メタ）アクリレート、ヒドロキシエチル（メタ）アクリレート／（Ｃ１〜１８）アルキル（メタ）アクリレート共重合体、ジエチルアミノエチル（メタ）アクリレート／（Ｃ１〜１８）アルキル（メタ）アクリレート共重合体、エチレン／（Ｃ１〜１８）アルキル（メタ）アクリレート共重合体、ポリイソブチレン、ポリアルキルスチレン、エチレン／プロピレン共重合体、スチレン／マレイン酸エステル共重合体、スチレン／イソプレン水素化共重合体等が挙げられる。あるいは、分散性能を付与した分散型もしくは多機能型粘度指数向上剤を用いてもよい。重量平均分子量は１０，０００〜１，５００，０００、好ましくは２０，０００〜５００，０００程度である。これらの粘度指数向上剤の好ましい配合量は、（Ａ）成分に対して０．１〜２０質量％。より好ましくは０．３〜１５質量％である。
【００６４】
上記流動点降下剤としては、例えば、ポリアルキルメタクリレート、ポリアルキルアクリレート、ポリアルキルスチレン、ポリビニルアセテート等が挙げられ、重量平均分子量は１０００〜１００，０００、好ましくは５０００〜５０，０００程度である。これらの流動点降下剤の好ましい配合量は、（Ａ）成分に対して０．００５〜３質量％、より好ましくは０．０１〜２質量％である。
【００６５】
上記防錆剤としては、例えば、亜硝酸ナトリウム、酸化パラフィンワックスカルシウム塩、酸化パラフィンワックスマグネシウム塩、牛脂脂肪酸アルカリ金属塩、アルカリ土類金属塩又はアミン塩、アルケニルコハク酸又はアルケニルコハク酸ハーフエステル（アルケニル基の分子量は１００〜３００程度）、ソルビタンモノエステル、ノニルフェノールエトキシレート、ラノリン脂肪酸カルシウム塩等が挙げられる。これらの防錆剤の好ましい配合量は、（Ａ）成分に対して０．０１〜３質量％、より好ましくは０．０２〜２質量％である。
【００６６】
上記腐食防止剤としては、例えば、ベンゾトリアゾール、ベンゾイミダゾール、ベンゾチアゾール、ベンゾチアジアゾール、テトラアルキルチウラムジサルファイド等が挙げられる。これら腐食防止剤の好ましい配合量は、（Ａ）成分に対して０．０１〜３質量％、より好ましくは０．０２〜２質量％である。
【００６７】
上記消泡剤としては、例えば、ポリジメチルシリコーン、トリフルオロプロピルメチルシリコーン、コロイダルシリカ、ポリアルキルアクリレート、ポリアルキルメタクリレート、アルコールエトキシ／プロポキシレート、脂肪酸エトキシ／プロポキシレート、ソルビタン部分脂肪酸エステル等が挙げられる。これらの消泡剤の好ましい配合量は、（Ａ）成分に対して０．００１〜０．１質量％、より好ましくは０．００１〜０．０１質量％である。
【００６８】
本発明の潤滑油組成物は、潤滑油が使用できる用途であればいずれの用途にも使用できる。これらの用途としては、例えば、エンジン油、変速機用潤滑剤、ギヤー油、タービン油、作動油、冷凍機油、コンプレッサー油、真空ポンプ油、軸受油、しゅう動面油、ロックドリル油、金属切削油、塑性加工油、熱処理油、グリース、加工油等が挙げられる。
【実施例】
【００６９】
以下、本発明を実施例により、具体的に説明する。尚、以下の実施例等において「％」及び「ｐｐｍ」は、特に記載が無い限り質量基準である。
以下に、本発明品及び比較品を示す。
（Ａ）成分
市販の鉱油［新日本石油（株）スーパーオイルＮ２２：パラフィン系鉱油、粘度指数：１０２、１００℃における動粘度：４．４ｍｍ2／秒）【００７０】
（Ｂ）成分
＜Ｂ−１＞
攪拌機、温度計、窒素導入管を備えた１０００ｍｌ４つ口フラスコに、水スクラバーを連結したコンデンサーを取り付け、１，３−ベンゼンジオール１．０ｍｏｌ（１１０ｇ）、オキシ塩化リン３．０ｍｏｌ（４６０ｇ）及び塩化マグネシウム０．００５ｍｏｌ（０．５ｇ）を仕込み、反応装置内の雰囲気を窒素で置換後、温度を徐々に１００℃まで５時間かけて昇温させた。同温度にて２時間熟成後、減圧の上１３０℃に昇温し、上記反応において消費されなかった過剰のオキシ塩化リンを留去した。この反応液にフェノール４．０ｍｏｌ（３７６ｇ）を添加して熟成させ、反応を終了した。その後、常法により触媒を除去し、１４０℃にて減圧乾燥し、一般式（２２）で表されるＢ−１を得た：【００７１】
【化２４】
2011118707.tif 000025
【００７２】
＜Ｂ−２＞
上記Ｂ−１の合成において１，３−ベンゼンジオールの代わりに４，４’−（プロパン−２，２−ジイル)ジフェノールを使用した他は、Ｂ−１と同様の製法で製造して一般式（２３）で表されるＢ−２を得た：【００７３】
【化２５】
2011118707.tif 000026
【００７４】
＜Ｂ−３＞
攪拌機、温度計、滴下ロート、窒素導入管を備えた１０００ｍｌ４つ口フラスコに、水スクラバーを連結したコンデンサーを取り付け、２，６−ジメチルフェノール２．０ｍｏｌ（２４４ｇ）、及び塩化マグネシウム０．０１６ｍｏｌ（１．５ｇ）を仕込み、反応装置内の雰囲気を窒素で置換後、温度を１２０℃まで昇温させた。同温度にてオキシ塩化リン１．０ｍｏｌ（１５３ｇ）を２時間かけて滴下した。滴下終了後、１８０℃まで２時間かけて昇温し、ジ（２，６−キシリル）ホスホロクロリデートを得た。フラスコ内を２０℃まで冷却し、フラスコに１，３−ベンゼンジオール０．５ｍｏｌ（５５ｇ）、及び塩化マグネシウム０．０１６ｍｏｌ（１．５ｇ）を仕込み、２時間かけて１８０℃まで昇温し、２時間熟成した。その後、常法により触媒を除去し、１４０℃にて減圧乾燥し、一般式（２４）で表されるＢ−３を得た：【００７５】
【化２６】
2011118707.tif 000027
【００７６】
＜Ｂ−４＞
上記Ｂ−１の合成において１，３−ベンゼンジオールの代わりに４，４’−ビフェノールを使用した他は、Ｂ−１と同様の製法で製造して一般式（２５）で表されるＢ−４を得た：
【化２７】
2011118707.tif 000028
【００７７】
（Ｂ）成分の組成、平均重合度を下記表１に示す：
【表１】
2011118707.tif 000029
【００７８】
（Ｃ）〜（Ｆ）成分
Ｘ−１：東京化成工業（株）製、商品名：２，６−ジ−ｔｅｒｔ−ブチル−ｐ−クレゾー        ル
【化２８】
2011118707.tif 000030
【００７９】
Ｘ−２：東京化成工業（株）製、商品名：２，２’−メチレンビス（６−シクロヘキシ
ル‐p−クレゾール)
【化２９】
2011118707.tif 000031
【００８０】
Ｘ−３：（株）ＡＤＥＫＡ製、商品名：アデカスタブ  ＡＯ−５０
【化３０】
2011118707.tif 000032
【００８１】
Ｘ−４：チバ・ジャパン（株）製、商品名：ＩＲＧＡＮＯＸ  Ｌ１３５
【化３１】
2011118707.tif 000033
【００８２】
Ｘ−５：東京化成工業（株）製、商品名：ジフェニルアミン
【化３２】
2011118707.tif 000034
【００８３】
Ｘ−６：チバ・ジャパン（株）製、商品名：ＩＲＧＡＮＯＸ  Ｌ５７
【化３３】
2011118707.tif 000035
（Ｒ’’、Ｒ’’’：水素原子、ターシャリーブチル基、オクチル基の混合物）【００８４】
Ｘ−７：チバ・ジャパン（株）製、商品名：ＩＲＧＡＮＯＸ  Ｌ０６
【化３４】
2011118707.tif 000036
【００８５】
比較添加成分
Ｙ−１：関東化学（株）製、商品名：４−ノニルフェノール
【化３５】
2011118707.tif 000037
【００８６】
Ｙ−２：関東化学（株）製、商品名： フェノール
【化３６】
2011118707.tif 000038
【００８７】
Ｙ−３：東京化成工業（株）製、商品名：１，３，５−トリメチルベンゼン
【化３７】
2011118707.tif 000039
【００８８】
Ｙ−４：（株）ＡＤＥＫＡ製、商品名：アデカプルーバー  Ｔ−９０
【化３８】
2011118707.tif 000040
【００８９】
Ｙ−５：東京化成工業（株）製、商品名：アニリン
【化３９】
2011118707.tif 000041
【００９０】
Ｙ−６：東京化成工業（株）製、商品名：ｐ−トルイジン
【化４０】
2011118707.tif 000042
【００９１】
［試験方法］
２００ｍｌビーカーに（Ａ）成分１００．０ｇ、（Ｂ）〜（Ｆ）成分を表２、表３に記載の分量取り、９０℃で１時間撹拌した。２５℃で２０時間静置した後、高速４球試験機を用いてＡＳＴＭ  Ｄ４１７２に準拠して耐摩耗試験を行った。試験後のボールの摩耗痕径（ｍｍ）を測定した。摩耗痕径が小さいほど耐摩耗性が高いことを示す。又、下記条件で透過率を測定した。測定波長における透過率が高いほど均一に溶解していることが分かる。【００９２】
耐摩耗試験条件
試験機器：シェル式高速４球試験機
回転数：１２００ｒｐｍ
荷重：３９２Ｎ
試験温度：７５℃
試験時間：６０分【００９３】
溶解性試験条件
測定機器：分光光度計 (Ｊａｓｃｏ Ｓｐｅｃｔｒｏｐｈｏｔｏｍｅｔｅｒ
Ｂ‐５３０)
測定条件：７００ｎｍ(光路長１ｃｍ、石英セル)【００９４】
【表２】
2011118707.tif 000043
１）：（Ｂ）成分〜（Ｆ）成分の（）内は（Ａ）成分１００ｇに対する添加量（ｇ）を表わす。【００９５】
【表３】
2011118707.tif 000044
１）：（Ｂ）成分〜（Ｆ）成分の（）内は（Ａ）成分１００ｇに対する添加量（ｇ）を表わす。【００９６】
上記結果から、Ａ−１（基油）に対してＢ−１又はＢ−２のみ添加した場合、透過率の測定結果から、０．２質量部添加するとＢ−１又はＢ−２が溶解しなくなるため、添加量に見合った摩耗低減効果が発揮されないことが判る。一方、Ａ−１に対してＢ−１又はＢ−２を０．２質量部添加した場合であっても、Ｘ−１〜Ｘ−７を添加するとＢ−１又はＢ−２が溶解するため、添加量に見合った摩耗低減効果が発揮されることが判る。【００９７】
濁りが少ないほど、均一に溶解し摩耗防止効果を発揮するので、透過率と摩耗防止効果との間には相関関係がある。そのため、摩耗防止効果は透過率で簡便に評価できる。以下、溶解性試験を行った透過率の試験結果を示す。
[試験方法]
２００ｍｌビーカーに（Ａ）成分９７．８ｇ、（Ｂ）成分０．２ｇ、及び（Ｃ）〜（Ｆ）成分２．０ｇを入れ、９０℃で１時間撹拌した。２５℃で２０時間静置した後に、表２及び表３と同様の条件で可視光の透過率を測定した。結果を表４に示した。【００９８】
【表４】
2011118707.tif 000045
【国際調査報告】
2011118707.tif 000052
2011118707.tif 000053
2011118707.tif 000054
2011118707.tif 000055
2011118707.tif 000056
2011118707.tif 000057